(57)【要約】【課題】簡易な装置構成でフィルターの所定部分に光を供給できる空気清浄機を提供する。【解決手段】空気清浄機は、光源１０と、第２フィルター５０と、送風部６０と、レンズ３１とを備える。第２フィルター５０は、光触媒を含む。送風部６０は、風を生成する。レンズ３１は、光源１０から発せられた光を案内する。光源１０と、送風部６０と、第２フィルター５０とは、光源１０、第２フィルター５０の全部又は一部、及び送風部６０の順番に配置される。送風部６０は、第２フィルター５０を介して送風部６０に向かう風を生成する。レンズ３１は、第２フィルター５０のうち送風部６０側に位置する所定部分Ｅに光を案内する。【選択図】図３
2020162654.tif 000002
【特許請求の範囲】
【請求項１】
光源と、
光触媒を含むフィルターと、
風を生成する送風部と、
前記光源から発せられた光を案内する案内部材と
を備え、
前記光源と、前記送風部と、前記フィルターとは、前記光源、前記フィルターの全部又は一部、及び前記送風部の順番に配置され、
前記送風部は、前記フィルターを介して前記送風部に向かう風を生成し、
前記案内部材は、前記フィルターのうち前記送風部側に位置する所定部分に前記光を案内する、空気清浄機。
【請求項２】
前記案内部材は、前記光を屈折させることで、前記所定部分に前記光を案内する第１案内部を含む、請求項１に記載の空気清浄機。
【請求項３】
前記フィルターは、筒状に形成され、
前記送風部は、前記フィルターに対して前記フィルターの軸方向の一方側に配置され、
前記光源と前記第１案内部とは、前記フィルターに対して前記軸方向の他方側に配置される、請求項２に記載の空気清浄機。
【請求項４】
前記案内部材は、前記光を反射することで、前記所定部分に前記光を案内する第２案内部を含む、請求項１に記載の空気清浄機。
【請求項５】
前記フィルターは、筒状に形成され、
前記送風部と前記第２案内部とは、前記フィルターに対して前記フィルターの軸方向の一方側に配置される、請求項４に記載の空気清浄機。
【請求項６】
前記案内部材は、
前記光を屈折させることで、前記所定部分に前記光を案内する第１案内部と、
前記光を反射することで、前記所定部分に前記光を案内する第２案内部と
を含み、
前記フィルターは、筒状に形成され、
前記送風部と前記第２案内部とは、前記フィルターに対して前記フィルターの軸方向の一方側に配置され、
前記光源と前記第１案内部とは、前記フィルターに対して前記軸方向の他方側に配置される、請求項１に記載の空気清浄機。
【発明の詳細な説明】
【技術分野】
【０００１】
本発明は、空気清浄機に関する。
【背景技術】
【０００２】
特許文献１に記載の空気清浄装置は、ランプと、脱臭フィルターと、ファンとを備える。ランプは、光触媒を活性化させる。脱臭フィルターは、ランプの周囲に配置された光触媒を含む。ファンは、脱臭フィルターに空気を送る。ランプからの光が脱臭フィルターにあたるように、脱臭フィルターが可動する。
【先行技術文献】
【特許文献】
【０００３】
【特許文献１】特開２００９−７８０５８号公報
【発明の概要】
【発明が解決しようとする課題】
【０００４】
しかし、脱臭フィルターを可動させるために、回転モーターと、脱臭フィルターを回転可能に支持する支持部材と、回転モーターの回転を制御する制御部とが設けられなければならない。さらに、脱臭フィルターを回転させるタイミングが、設定されなければならない。その結果、空気清浄装置の装置構成が複雑になる可能性がある。
【０００５】
本発明は、簡易な装置構成でフィルターの所定部分に光を供給できる空気清浄機を提供することを目的とする。
【課題を解決するための手段】
【０００６】
本願の第１局面によれば、空気清浄機は、光源と、フィルターと、送風部と、案内部材とを備える。前記フィルターは、光触媒を含む。前記送風部は、風を生成する。前記案内部材は、前記光源から発せられた光を案内する。前記光源と、前記送風部と、前記フィルターとは、前記光源、前記フィルターの全部又は一部、及び前記送風部の順番に配置される。前記送風部は、前記フィルターを介して前記送風部に向かう風を生成する。前記案内部材は、前記フィルターのうち前記送風部側に位置する所定部分に前記光を案内する。
【発明の効果】
【０００７】
本発明の空気清浄機によれば、簡易な装置構成でフィルターの所定部分に光を供給できる。
【図面の簡単な説明】
【０００８】
【図１】本発明の第１実施形態に係る空気清浄機の模式図である。
【図２】送風部により生成される風の流れを示す模式図である。
【図３】レンズの動作を示す模式図である。
【図４】本発明の第２実施形態に係る空気清浄機の模式図である。
【図５】反射部材を示す模式図である。
【図６】本発明の第４実施形態に係る空気清浄機の模式図である。
【図７】本発明の第５実施形態に係るイオン発生装置を示す図である。
【図８】イオン発生装置の断面図である。
【図９】本発明の第６実施形態に係る空気清浄機を示す斜視図である。
【図１０】本発明の第６実施形態に係る空気清浄機の平面図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１を参照して、本発明の第１実施形態に係る空気清浄機１００について説明する。図１は、本発明の第１実施形態に係る空気清浄機１００の模式図である。空気清浄機１００は、空気を浄化する。
【００１１】
図１に示すように、空気清浄機１００は、光源１０と、基板２０と、レンズ３１とを備える。
【００１２】
光源１０は、例えば、ＬＥＤ（Ｌｉｇｈｔ  Ｅｍｉｔｔｉｎｇ  Ｄｉｏｄｅ）を含む。光源１０は、光を発する。光源１０は、基板２０に設けられる。レンズ３１は、光を屈折させる。レンズ３１は、本発明の第１案内部の一例である。
【００１３】
空気清浄機１００は、フィルター部材Ｊをさらに備える。
【００１４】
フィルター部材Ｊは、第１フィルター４０と、第２フィルター５０とを含む。
【００１５】
第１フィルター４０は、臭い成分を吸着し、及び／又は、塵埃を捕獲する。臭い成分は、臭いの原因となる臭気物質である。臭い成分は、例えば、アンモニア、メチルメルカプタン、トリメチルアミン、及び／又は、ノネナール等である。
【００１６】
第１フィルター４０は、例えば、化学吸着剤を含む化学吸着型フィルターである。化学吸着剤は、例えば、酸化亜鉛、タンニン酸、植物抽出成分、及び、白金ナノ粒子のうちの少なくとも１つを含む。
【００１７】
なお、第１フィルター４０は、物理吸着剤を含む物理吸着型フィルターでもよい。物理吸着剤は、例えば、シリカゲル、活性炭、活性アルミナ、ゼオライト、多孔質シリカ、及び、金属錯体多孔体のうちの少なくとも１つを含む。
【００１８】
また、第１フィルター４０は、空気中の塵埃を濾過することで捕獲するような集塵フィルターでもよい。集塵フィルターは、例えば、ＨＥＰＡフィルター、及び、ＵＬＰＡフィルターのような網状の濾材を含む。
【００１９】
また、第１フィルター４０は、物理吸着型フィルター、化学吸着型フィルター、及び、集塵フィルターのうちの少なくとも２つのフィルターの構造を有していてもよい。
【００２０】
第２フィルター５０は、光触媒フィルターである。光触媒フィルターは、二酸化チタンのような光触媒を含む。第２フィルター５０は、光触媒により消臭処理及び除菌処理のうちの少なくとも１つの処理を行う。
【００２１】
光源１０から発せられた光が、第２フィルター５０に照射されることで、第２フィルター５０に含まれる光触媒が触媒作用を生成する。その結果、第２フィルター５０を通過中の空気に含まれる臭い成分が光触媒の触媒作用により分解される。また、光源１０から発せられた光が、第２フィルター５０に照射されることで、活性酸素が生成される。そして、生成された活性酸素により空気中を浮遊するウィルス及び細菌のような有機物質が除菌される。
【００２２】
第２フィルター５０（光触媒フィルター）の構成は、特に限定されない。第２フィルター５０は、例えば、不織布に光触媒を担持させたものでもよい。また、第２フィルター５０は、金属メッシュ表面に光触媒を担持させたものでもよい。また、第２フィルター５０は、ペーパーに光触媒を担持させてハニカム状に形成したものでもよい。
【００２３】
第１フィルター４０と第２フィルター５０との形状について説明する。
【００２４】
第１フィルター４０と第２フィルター５０との各々は、両端が開口する略筒状に形成される。第１フィルター４０と第２フィルター５０との各々の両端は、互いに同じ向きに開口する。第１フィルター４０と第２フィルター５０とは、層状に配置される。第１フィルター４０の内側には、第２フィルター５０が配置される。
【００２５】
第２フィルター５０は、第１開口部５１と、第２開口部５２とを含む。第１開口部５１と第２開口部５２との各々は、第２フィルター５０の内部Ｇと外部とを連通する。第２フィルター５０の内部Ｇは、第２フィルター５０の内周面で囲まれた空間である。
【００２６】
第１実施形態では、第１フィルター４０の内周面が、第２フィルター５０の外周面に接触する。その結果、フィルター部材Ｊをコンパクトに構成できる。なお、第１フィルター４０の内周面と第２フィルター５０の外周面との間に隙間が存在していてもよい。その結果、空気が第１フィルター４０と第２フィルター５０とを通過する際、空気に生じる圧力損失を低減できる。
【００２７】
空気清浄機１００は、送風部６０と、駆動源（不図示）とをさらに備える。送風部６０は、風を生成する。
【００２８】
送風部６０は、回転軸６１と、羽根部６２とを含む。回転軸６１は、回転可能に支持される軸状の部材である。羽根部６２は、例えば、プロペラファンを含む。羽根部６２は、回転軸６１に固定される。羽根部６２は、回転軸６１と共に回転する。送風部６０（回転軸６１及び羽根部６２）は、モーターのような駆動源から動力を伝達されることで回転する。
【００２９】
送風部６０は、記憶部Ｓ１と、制御部Ｓ２とをさらに備える。
【００３０】
記憶部Ｓ１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部Ｓ２によって実行される種々のコンピュータープログラムを記憶する。
【００３１】
制御部Ｓ２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部Ｓ２は、空気清浄機１００の各要素を制御する。
【００３２】
図１を参照して、光源１０と、基板２０と、レンズ３１と、フィルター部材Ｊと、送風部６０との位置関係について説明する。
【００３３】
図１は、中心軸Ｚと、軸方向Ｘとを示す。中心軸Ｚは、第２フィルター５０の第１開口部５１の中心と、第２フィルター５０の第２開口部５２の中心とを通る仮想線である。軸方向Ｘは、中心軸Ｚが延びる方向を示す。
【００３４】
図１に示すように、光源１０と、基板２０と、レンズ３１と、フィルター部材Ｊと、送風部６０とは、軸方向Ｘに沿って配置される。光源１０と、基板２０と、レンズ３１と、フィルター部材Ｊと、送風部６０とは、基板２０、光源１０、レンズ３１、フィルター部材Ｊ、及び送風部６０の順番に配置される。
【００３５】
光源１０は、レンズ３１と、第２フィルター５０の内部Ｇとを介して、送風部６０と対向する。レンズ３１は、光源１０と第２フィルター５０の内部Ｇとの間に配置される。
【００３６】
次に、図２を参照して、送風部６０により生成される風の流れについて説明する。図２は、送風部６０により生成される風の流れを示す模式図である。
【００３７】
なお、図１ではフィルター部材Ｊに対して断面を示すハッチングを施したが、図２〜６ではフィルター部材Ｊのハッチングは省略する。
【００３８】
図２に示すように、送風部６０が回転することで、第１風路Ｆ１と、第２風路Ｆ２とが生成される。
【００３９】
第１風路Ｆ１及び第２風路Ｆ２の各々は、風の流れを示す。第１風路Ｆ１は、第１フィルター４０と第２フィルター５０とを介して送風部６０に向かう風の流れを示す。第２風路Ｆ２は、送風部６０から離間する風の流れを示す。
【００４０】
空気清浄機１００の外部の空気は、第１風路Ｆ１に沿って流れた後、送風部６０を通過する。送風部６０を通過した空気は、第２風路Ｆ２に沿って流れる。
【００４１】
空気は、第１風路Ｆ１を流れる際に、第１フィルター４０と第２フィルター５０とを通過することで、第１フィルター４０と第２フィルター５０とにより浄化される。その結果、第２風路Ｆ２には、第１フィルター４０及び第２フィルター５０により浄化された空気を含む風が流れる。
【００４２】
図２は、所定部分Ｅを示す。所定部分Ｅは、第２フィルター５０のうち送風部６０側に位置する部分である。言い換えれば、所定部分Ｅは、第２フィルター５０のうち、送風部６０により生成される風の通過する風量が多くなる部分である。
【００４３】
以下では、所定部分Ｅが生成される原理について説明する。
【００４４】
送風部６０は、送風部６０に対して軸方向Ｘの他方側Ｘ２に存在する空気を、送風部６０に向かわせるように吸気することで第１風路Ｆ１を生成する。従って、図２に示すように、送風部６０に対して軸方向Ｘの他方側Ｘ２に位置する領域において、送風部６０に向かうように略放射状に第１風路Ｆ１が生成されるので、送風部６０の近傍の領域程、第１風路Ｆ１を示す矢印が密になり、風量が多くなる。その結果、第１実施形態では、第２フィルター５０のうち軸方向Ｘの一方側Ｘ１に位置する部分が所定部分Ｅとなる。
【００４５】
所定部分Ｅは、他の部分（第２フィルター５０のうち軸方向Ｘの他方側Ｘ２に位置する部分）に比べて、通過する風量が多くなるので、臭い成分及び有機物質の供給量も多くなる。その結果、所定部分Ｅに対しては、光を効果的に供給することで、所定部分Ｅの光触媒を効果的に機能させることが好ましい。
【００４６】
次に、図３を参照して、所定部分Ｅに対して光を効果的に供給するためのレンズ３１の動作について説明する。図３は、レンズ３１の動作を示す模式図である。
【００４７】
図３に示すように、光源１０から発せられた光は、レンズ３１に入射する。レンズ３１に入射した光は、所定部分Ｅへ向かう方向へ屈折しつつ、レンズ３１から出射する。レンズ３１から出射した光は、第２開口部５２を介して第２フィルター５０の内部Ｇに進入する。そして、第２フィルター５０の内部Ｇに進入した光は、所定部分Ｅに向かって進む。その結果、光源１０から発せられた光が、レンズ３１により屈折された後、第２フィルター５０の内部Ｇを通じて所定部分Ｅへ照射される。
【００４８】
光源１０から発せられた光は、広がりながら進行するので、通常は、第２フィルター５０のうち、所定部分Ｅよりも、光源１０の近傍に位置する部分Ｅ１に供給されやすい。そこで、第１実施形態では、レンズ３１により光源１０から発せられた光を屈折させることで、光源１０から発せられた光が所定部分Ｅへ向かうように、光の進行方向を整える。その結果、光源１０から発せられた光を所定部分Ｅに効果的に供給することが可能となる。
【００４９】
また、レンズ３１のような光を案内する案内部材を用いることで、モーターのような駆動源を用いて第２フィルター５０を動かすこと無く、第２フィルター５０の所定部分Ｅに光源１０からの光を供給することができる。その結果、簡易な装置構成で第２フィルター５０の所定部分Ｅに光を供給できる。
【００５０】
［第２実施形態］
次に、図４を参照して、本発明の第２実施形態に係る空気清浄機１００について説明する。図４は、本発明の第２実施形態に係る空気清浄機１００の模式図である。
【００５１】
第２実施形態は、光源１０から発せられた光を所定部分Ｅに案内するための構成が第１実施形態と異なる。以下では、主に、第１実施形態と異なる点を説明する。
【００５２】
図４に示すように、空気清浄機１００は、反射部材７１をさらに備える。
【００５３】
反射部材７１は、光を反射する。反射部材７１は、アルミニウムのような光を反射する部材により形成される。
【００５４】
反射部材７１は、本発明の第２案内部材の第１例である。なお、第２実施形態では、第１案内部材の一例であるレンズ３１（図３参照）は、用いられない。
【００５５】
光源１０と、基板２０と、フィルター部材Ｊと、送風部６０と、反射部材７１とは、軸方向Ｘに沿って配置される。光源１０と、基板２０と、フィルター部材Ｊと、送風部６０と、反射部材７１とは、基板２０、光源１０、フィルター部材Ｊ、反射部材７１、及び送風部６０の順番に配置される。
【００５６】
光源１０は、第２フィルター５０の内部Ｇと、反射部材７１とを介して、送風部６０と対向する。反射部材７１は、送風部６０と第２フィルター５０の内部Ｇとの間に配置される。
【００５７】
反射部材７１は、送風部６０のうち回転軸６１と軸方向Ｘに対向する。反射部材７１は、中心軸Ｚ（図１参照）寄りに配置される。反射部材７１は、羽根部６２と軸方向Ｘに対向しないように形成され、又は、僅かにしか対向しないように形成される。その結果、第１風路Ｆ１（図２参照）に沿って流れる風に、反射部材７１が干渉することを抑制できる。
【００５８】
第２実施形態では、反射部材７１は、回転軸６１に対して離間している。しかし、本発明はこれに限定されない。反射部材７１は、回転軸６１に固定されていてもよい。
【００５９】
反射部材７１の動作について説明する。
【００６０】
光源１０から発せられた光は、第２開口部５２を介して第２フィルター５０の内部Ｇに進入する。第２フィルター５０の内部Ｇに進入した光は、第１開口部５１を介して第２フィルター５０の外部へ進行する。第２フィルター５０の外部へ進行した光は、反射部材７１により所定部分Ｅに向けて反射される。従って、光源１０から発せられた光のうち、第２フィルター５０を通過した光を、反射部材７１により反射させることで、所定部分Ｅに供給できる。その結果、光源１０から発せられた光を所定部分Ｅに効果的に供給することが可能となる。
【００６１】
また、反射部材７１のような光を案内する案内部材を用いることで、モーターのような駆動源を用いて第２フィルター５０を動かすこと無く、第２フィルター５０の所定部分Ｅに光源１０からの光を供給することができる。その結果、簡易な装置構成で第２フィルター５０の所定部分Ｅに光を供給できる。
【００６２】
［第３実施形態］
次に、図５を参照して、反射部材７１の変形例である反射部材７２について説明する。図５は、反射部材７２を示す模式図である。
【００６３】
反射部材７２は、本発明の第２案内部材の第２例である。
【００６４】
第３実施形態の反射部材７２は、風が通過させることができる点が第２実施形態の反射部材７１と異なる。以下では、主に第２実施形態と異なる点を説明する。
【００６５】
図５に示すように、反射部材７２は、ケーシング７２ａと、複数の反射部７２ｂとを含む。ケーシング７２ａは、軸方向Ｘの両端が開口した略筒状の部材である。複数の反射部７２ｂの各々は、アルミニウムのような光を反射する部材により形成される。複数の反射部７２ｂの各々は、ケーシング７２ａに固定される。複数の反射部７２ｂは、互いに間隔を空けて配置される。複数の反射部７２ｂのうち隣り合う反射部７２ｂの間には隙間７２ｃが形成される。
【００６６】
第１風路Ｆ１（図２参照）に沿って流れる風は、フィルター部材Ｊを通過した後、隙間７２ｃを通じて送風部６０へ送られる。その結果、第１風路Ｆ１に沿って流れる風に、反射部７２ｂが干渉することを抑制できる。
【００６７】
また、反射部７２ｂは、隙間７２ｃを通じて風を通過させることができるので、羽根部６２と軸方向Ｘに対向していても、第１風路Ｆ１に沿って流れる風に干渉することを抑制できる。その結果、羽根部６２に対して反射部７２ｂを対向配置できるので、反射部７２ｂの設置場所の自由度を向上させることができる。
【００６８】
第３実施形態では、反射部材７２は、回転軸６１に対して離間している。しかし、本発明はこれに限定されない。反射部材７２は、回転軸６１に固定されていてもよい。
【００６９】
反射部材７２の動作について説明する。
【００７０】
光源１０から発せられた光は、第２開口部５２を介して第２フィルター５０の内部Ｇに進入する。第２フィルター５０の内部Ｇに進入した光は、第１開口部５１を介して第２フィルター５０の外部へ進行する。第２フィルター５０の外部へ進行した光は、反射部材７２により所定部分Ｅに向けて反射される。従って、光源１０から発せられた光のうち、第２フィルター５０を通過した光を、反射部材７２により反射させることで、所定部分Ｅに供給できる。その結果、光源１０から発せられた光を所定部分Ｅに効果的に供給することが可能となる。
【００７１】
［第４実施形態］
次に、図６を参照して、本発明の第４実施形態に係る空気清浄機１００について説明する。図６は、本発明の第４実施形態に係る空気清浄機１００の模式図である。
【００７２】
第４実施形態は、複数の案内部材を用いる点が第１実施形態〜第３実施形態と異なる。以下では、主に、第１実施形態〜第３実施形態と異なる点を説明する。
【００７３】
図６に示すように、空気清浄機１００は、レンズ３１と、反射部材７１とをさらに備える。
【００７４】
光源１０から発せられた光のうちの一部は、レンズ３１により屈折された後、所定部分Ｅに供給される。光源１０から発せられた光のうちの他の一部は、反射部材７１により反射された後、所定部分Ｅに供給される。その結果、光源１０から発せられた光を所定部分Ｅに効果的に供給することが可能となる。
【００７５】
なお、反射部材７１に代えて、第３実施形態の反射部材７２（図５参照）が用いられてもよい。
【００７６】
［第５実施形態］
図７及び図８を参照して、本発明の第５実施形態に係るイオン発生装置２００について説明する。図７は、本発明の第５実施形態に係るイオン発生装置２００を示す図である。図８は、イオン発生装置２００の断面図である。
【００７７】
図７及び図８に示すように、イオン発生装置２００は、筐体１を備える。筐体１は、例えば、樹脂により形成される中空の部材である。
【００７８】
筐体１は、第１筐体１ａと、第２筐体２ｂとを含む。第１筐体１ａには、第２筐体２ｂが着脱自在に取り付けられる。第２筐体２ｂは、第１筐体１ａの外側に位置する。第１筐体１ａに第２筐体２ｂが取り付けられることで、第１筐体１ａの一部が第２筐体２ｂによって覆われる。なお、第１筐体１ａと第２筐体２ｂとは、一体の部材でもよい。
【００７９】
筐体１は、把持部３をさらに含む。把持部３は、筐体１の外面の一部を凹ませた形状を有する。ユーザーは、把持部３を把持してイオン発生装置２００を持ち運ぶ。
【００８０】
筐体１には、吸気口Ａが形成される。吸気口Ａは、筐体１の内部と外部とを連通する。吸気口Ａは、筐体１の下部に形成される。
【００８１】
筐体１には、吹出口Ｂがさらに形成される。吹出口Ｂは、筐体１の内部と外部とを連通する。吹出口Ｂは、筐体１の上部に形成される。
【００８２】
イオン発生装置２００は、第１実施形態の空気清浄機１００をさらに備える。空気清浄機１００は、筐体１の内部に配置される。
【００８３】
イオン発生装置２００は、整流部７と、ルーバー８とをさらに備える。
【００８４】
整流部７は、送風部６０により送られる空気をガイドする。整流部７は、送風部６０の下流に配置される。整流部７は、筐体１に固定される。
【００８５】
ルーバー８は、整流部７から流れる風をガイドする。ルーバー８は、略板状の部材である。ルーバー８は、整流部７の下流に配置される。ルーバー８は、吹出口Ｂの直前に配置される。
【００８６】
ルーバー８は、筐体１に回転可能に取り付けられる。ルーバー８は、筐体１に対して回転可能に支持される。
【００８７】
筐体１に対するルーバー８の回転角度が変更されることで、吹出口Ｂから排出される空気の排出方向Ｈが変更される。
【００８８】
イオン発生装置２００は、イオン供給部９をさらに備える。イオン供給部９は、送風部６０と整流部７との間に配置される。イオン供給部９は、空気にイオンを供給する。その結果、吹出口Ｂからイオンを含む空気が排出される。イオンは、正イオン、及び負イオンのうちの少なくとも１つのイオンを含む。
【００８９】
イオン発生装置２００は、記憶部Ｓ１と、制御部Ｓ２とをさらに備える。
【００９０】
図８を参照して、筐体１の内部の空気の流れについて説明する。
【００９１】
図８に示すように、送風部６０が稼働することで、筐体１の外部の空気は、吸気口Ａを介して筐体１の内部に流入する。筐体１の内部に流入した空気は、空気清浄機１００に供給され、第１フィルター４０と第２フィルター５０とにより浄化される。
【００９２】
第１フィルター４０と第２フィルター５０とを通過した空気は、イオン供給部９を通過する。その結果、空気にイオンが供給される。
【００９３】
イオン供給部９を通過した空気は、整流部７を通過した後、ルーバー８にガイドされて、吹出口Ｂから筐体１の外部へ放出される。その結果、イオン発生装置２００により浄化されると共にイオンを供給された空気が室内に供給される。
【００９４】
なお、イオン発生装置２００は、第１実施形態の空気清浄機１００に代えて、第２実施形態の空気清浄機１００〜第４実施形態の空気清浄機１００のうちのいずれかの空気清浄機１００を備えていてもよい。
【００９５】
［第６実施形態］
次に、図９及び図１０を参照して、本発明の第６実施形態に係る空気清浄機１００について説明する。図９は、本発明の第６実施形態に係る空気清浄機１００を示す斜視図である。図１０は、本発明の第６実施形態に係る空気清浄機１００の平面図である。
【００９６】
第６実施形態は、フィルター部材Ｊの形状が第１実施形態〜第４実施形態と異なる。以下では、主に、第１実施形態〜第４実施形態と異なる点を説明する。
【００９７】
第６実施形態のフィルター部材Ｊは、第１フィルター４５と、第２フィルター５５とを含む。第１フィルター４５は、略筒状の第１フィルター４０（図１参照）を板状に形成した部材である。第２フィルター５５は、略筒状の第２フィルター５０を板状に形成した部材である。
【００９８】
第１フィルター４５には、第２フィルター５５が取り付けられる。第６実施形態では、第１フィルター４０の板面が、第２フィルター５０の板面に接触する。その結果、フィルター部材Ｊをコンパクトに構成できる。なお、第１フィルター４０の板面と第２フィルター５０の板面との間に隙間が存在していてもよい。その結果、空気が第１フィルター４０と第２フィルター５０とを通過する際、空気に生じる圧力損失を低減できる。
【００９９】
第１フィルター４５は、送風部６０に対向する。第２フィルター５５は、第１フィルター４５の下流に配置される。
【０１００】
図９は、第１方向Ｃと、第２方向Ｄとを示す。第１方向Ｃは、第１フィルター４５に対して送風部６０が対向する方向である。第２方向Ｄは、第１方向Ｃに対して垂直な方向である。
【０１０１】
第６実施形態において、所定部分Ｅは、第２フィルター５５の略中央部に位置する。理由は、送風部６０が吸気することで、第２フィルター５５の略中央部に寄ってくるように第１風路Ｆ１が生成されるので、第２フィルター５５の縁部よりも第２フィルター５５の略中央部の方が、第２フィルター５５を通過する風量が多くなるからである。
【０１０２】
空気清浄機１００は、反射部材７３をさらに備える。反射部材７３は、アルミニウムのような光を反射する部材により形成される。反射部材７３は、略板状に形成される。反射部材７３は、第２フィルター５５の略中央部の下流に配置される。
【０１０３】
反射部材７３は、本発明の第２案内部材の第３例である。
【０１０４】
光源１０は、第２フィルター５５の下流に配置される。光源１０は、第２フィルター５５に対向する。光源１０は、第２フィルター５５に対して第２方向Ｄに沿って離間した場所に配置される。
【０１０５】
光源１０から発せられた光のうち、第２フィルター５５に沿って進む光は、反射部材７３により反射されることで所定部分Ｅに供給される。その結果、光源１０から発せられた光のうち第２フィルター５５に沿って進む光の進路を、反射部材７３により所定部分Ｅに向かうように変更できるので、所定部分Ｅに光を効果的に供給することが可能となる。
【０１０６】
また、反射部材７３のような光を案内する案内部材を用いることで、モーターのような駆動源を用いて第２フィルター５０を動かすこと無く、第２フィルター５５の所定部分Ｅに光源１０からの光を供給することができる。その結果、簡易な装置構成で第２フィルター５５の所定部分Ｅに光を供給できる。
【０１０７】
以上、図面（図１〜図１０）を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１０８】
（１）第１実施形態〜第４実施形態において、第１フィルター４０と、第２フィルター５０との各々は、円筒状に形成される。しかし、本発明は、これに限定されない。第１フィルター４０と第２フィルター５０との各々は、多角筒状に形成されてもよい。多角筒状は、第１フィルター４０及び第２フィルター５０の各々において、中心軸Ｚ（図１参照）に対して垂直な断面の縁部の形状が、多角形になる形状である。円筒状と、多角筒状とは、本発明の筒状の一例である。
【０１０９】
（２）第１実施形態〜第４実施形態において、白色の基板２０が用いられてもよい。その結果、光源１０から発せられた光を基板２０により送風部６０側へ効果的に反射させることができるので、所定部分Ｅに効果的に光を供給することができる。
【０１１０】
（３）第１実施形態〜第４実施形態では、光源１０と、送風部６０とは、第２フィルター５０の外部に配置される。この場合、光源１０と、送風部６０と、第２フィルター５０とは、光源１０、第２フィルター５０の全部、及び送風部６０の順番に配置される。しかし、本発明はこれに限定されない。光源１０、及び、送風部６０のうちの少なくとも１つが、第２フィルター５０の内部Ｇに配置されていてもよい。この場合、光源１０と、送風部６０と、第２フィルター５０とは、光源１０、第２フィルター５０の一部、及び送風部６０の順番に配置される。
【０１１１】
（４）第１実施形態〜第４実施形態では、フィルター部材Ｊは、第１フィルター４０と、第２フィルター５０とを含む。しかし、本発明は、これに限定されない。フィルター部材Ｊは、第１フィルター４０と、第２フィルター５０とのうち、少なくとも第２フィルター５０を含んでいればよい。
【０１１２】
また、第６実施形態では、フィルター部材Ｊは、第１フィルター４５と、第２フィルター５５とを含む。しかし、本発明はこれに限定されない。フィルター部材Ｊは、第１フィルター４５と、第２フィルター５５とのうち、少なくとも第２フィルター５５を含んでいればよい。
【産業上の利用可能性】
【０１１３】
本発明は、空気清浄機の分野に利用可能である。
【符号の説明】
【０１１４】
１０    光源
５０    第２フィルター（フィルター）
６０    送風部
３１    レンズ（第１案内部）
７１    反射部材（第２案内部）
７２    反射部材（第２案内部）
７３    反射部材（第２案内部）
【図１】
2020162654.tif 000003
【図２】
2020162654.tif 000004
【図３】
2020162654.tif 000005
【図４】
2020162654.tif 000006
【図５】
2020162654.tif 000007
【図６】
2020162654.tif 000008
【図７】
2020162654.tif 000009
【図８】
2020162654.tif 000010
【図９】
2020162654.tif 000011
【図１０】
2020162654.tif 000012